(57)【特許請求の範囲】
【請求項１】
二輪車本体に取り付けられた子供乗せ装置であって、
子供が着席可能な座部を備えた子供乗せ装置本体と、
前記座部に着席した子供の足が載置される足載せ部と、
前記座部に子供が着席した時、子供のふくらはぎが当接する位置に取付けられたクッションと、
を有し、
前記クッションの上端部が前記座部の前端部に取付けられていることを特徴とする子供乗せ装置。
【請求項２】
二輪車本体に取り付けられた子供乗せ装置であって、
子供が着席可能な座部を備えた子供乗せ装置本体と、
前記座部に着席した子供の足が載置される足載せ部と、
前記座部に子供が着席した時、子供のふくらはぎが当接する位置に取付けられたクッションと、
を有し、
前記座部の上面に取付けられた座部用クッションを備え、
前記クッションは、前記座部用クッションの前端部に着脱可能に取付けられていることを特徴とする子供乗せ装置。
【請求項３】
二輪車本体に取り付けられた子供乗せ装置であって、
子供が着席可能な座部を備えた子供乗せ装置本体と、
前記座部に着席した子供の足が載置される足載せ部と、
前記座部に子供が着席した時、子供のふくらはぎが当接する位置に取付けられたクッションと、
を有し、
前記座部の前端部の中央には子供の股が位置するズレ落防止部材が設けられており、
前記ズレ落防止部材の両側に前記クッションが設けられていることを特徴とする子供乗せ装置。
【請求項４】
二輪車本体に取り付けられた子供乗せ装置であって、
子供が着席可能な座部を備えた子供乗せ装置本体と、
前記座部に着席した子供の足が載置される足載せ部と、
前記座部に子供が着席した時、子供のふくらはぎが当接する位置に取付けられたクッションと、
を有すると共に、
前記足載せ部は、前記座部の前方から下方側又は斜め下方側に延びたベース部材に設けられ、
前記足載せ部が前記ベース部材に沿ってスライド可能に設けられ、
前記足載せ部を前記ベース部材の任意のスライド高さで固定する高さ調整手段を有し、
前記足載せ部の前記ベース部材の上部の固定位置で、前記クッションは前記足載せ部の足載せ面と干渉しないことを特徴とする子供乗せ装置。
【請求項５】
二輪車本体に取り付けられた子供乗せ装置であって、
子供が着席可能な座部を備えた子供乗せ装置本体と、
前記座部に着席した子供の足が載置される足載せ部と、
前記座部に子供が着席した時、子供のふくらはぎが当接する位置に取付けられたクッションと、
を有すると共に、
前記足載せ部は、前記座部の前方から下方側又は斜め下方側に延びたベース部材に設けられ、
前記足載せ部が前記ベース部材に沿ってスライド可能に設けられ、
前記足載せ部を前記ベース部材の任意のスライド高さで固定する高さ調整手段を有し、
前記高さ調整手段は、
前記足載せ部の側方に設けられた操作部と、
前記ベース部材に設けられた複数の被係合部と、
前記足載せ部の両側に形成された取付部に回転可能に設けられ、前記操作部と連結される軸部と、
前記軸部に設けられ、前記被係合部と係合される係合部と、
前記係合部を前記被係合部に係合する方向へ付勢する付勢部材と、
前記操作部に設けられ、前記軸部の回転をロックするロック手段と、
を有することを特徴とする子供乗せ装置。
【請求項６】
前記足載せ部は、前記座部の前方から下方側又は斜め下方側に延びたベース部材に設けられ、
前記足載せ部が前記ベース部材に沿ってスライド可能に設けられ、
前記足載せ部を前記ベース部材の任意のスライド高さで固定する高さ調整手段を有することを特徴とする請求項１から請求項３までのいずれか１項に記載の子供乗せ装置。
【請求項７】
前記クッションは、前記ベース部材の少なくとも上部に取付けられていること、
を特徴とする請求項４から請求項６までのいずれか１項に記載の子供乗せ装置。
【請求項８】
二輪車本体に請求項１から請求項７までのいずれか１項に記載の子供乗せ装置が取り付けられていることを特徴とする二輪車。
【発明の詳細な説明】
【技術分野】
【０００１】
本発明は、子供が着席可能な子供乗せ装置、及びこの子供乗せ装置が取り付けられた二輪車に関するものである。
【背景技術】
【０００２】
従来から、子供が着座可能な幼児用座席を備えた二輪車が知られている。
【０００３】
幼児用座席には、座部の前端部から下方側に１対の筒状の足入れ具が取付けられている（特許文献１を参照）。この足入れ具には、外周の任意の位置に切開部が設けられており、係着具によって切開部が開閉自在となっている。子供が座部に着席する際には、係着具で切開部を開閉することで、子供の左右の足をそれぞれ足入れ具に挿入することができる。
【特許文献１】特開平６−６５１８１号公報
【発明の開示】
【発明が解決しようとする課題】
【０００４】
上記のような幼児用座席では、１対の筒状の足入れ具に座部に着席した子供の左右の足をそれぞれ挿入するため、子供は着席時に左右の足を自由に動かすことができず、窮屈である。このため、子供が楽な着席姿勢をとることができない可能性がある。また、子供の身長や体格により足入れ具のサイズが合わない場合もある。
【０００５】
本発明は、上記問題点に鑑みてなされたものであり、子供が楽な乗車姿勢を保持しながら子供の足のふくらはぎ付近を保護することができる子供乗せ装置及び二輪車を提供することを目的とする。
【課題を解決するための手段】
【０００６】
上記課題を解決するために、請求項１に記載の発明は、二輪車本体に取り付けられた子供乗せ装置であって、子供が着席可能な座部を備えた子供乗せ装置本体と、前記座部に着席した子供の足が載置される足載せ部と、前記座部に子供が着席した時、子供のふくらはぎが当接する位置に取付けられたクッションと、を有し、前記クッションの上端部が前記座部の前端部に取付けられていることを特徴としている。
【０００７】
請求項１に記載の発明では、子供乗せ装置本体の座部と、子供の足が載置される足載せ部が設けられ、子供が座部に着席したときに、子供の足が足載せ部に載置されると共に、子供の足のふくらはぎ付近がクッションに当接する。このため、子供の足のふくらはぎ付近を保護することができ、ふくらはぎ付近が子供乗せ装置本体等の構造体に直接接触することを抑制できる。また、子供が着席時に足を動かすことができ、子供が楽な着席姿勢を保持することができる。
また、クッションの上端部が座部の前端部に取付けられているので、ベース部材に沿って足載せ部を上下方向にスライドさせるときに、クッションが邪魔になることがなく、スライド時の作業性がよい。
【０００８】
請求項２に記載の発明は、二輪車本体に取り付けられた子供乗せ装置であって、子供が着席可能な座部を備えた子供乗せ装置本体と、前記座部に着席した子供の足が載置される足載せ部と、前記座部に子供が着席した時、子供のふくらはぎが当接する位置に取付けられたクッションと、を有し、前記座部の上面に取付けられた座部用クッションを備え、前記クッションは、前記座部用クッションの前端部に着脱可能に取付けられていることを特徴としている。
【０００９】
請求項２に記載の発明では、子供乗せ装置本体の座部と、子供の足が載置される足載せ部が設けられ、子供が座部に着席したときに、子供の足が足載せ部に載置されると共に、子供の足のふくらはぎ付近がクッションに当接する。このため、子供の足のふくらはぎ付近を保護することができ、ふくらはぎ付近が子供乗せ装置本体等の構造体に直接接触することを抑制できる。また、子供が着席時に足を動かすことができ、子供が楽な着席姿勢を保持することができる。
また、座部の上面に取付けられた座部用クッションを備えており、クッションは、座部用クッションの前端部に着脱可能に取付けられているので、座部の座部用クッション上に子供が着席したときに、座部用クッション及びクッションにより子供の尻部から足の後ろ側のふくらはぎ付近までを当接させることができる。このため、子供の足のふくらはぎ付近をより確実に保護できると共に、子供がより一層楽な着席姿勢を保つことができる。また、クッションを座部用クッションの前端部に着脱可能に取付けているので、クッションの取付け及び取り外しが容易である。
【００１０】
請求項３に記載の発明は、二輪車本体に取り付けられた子供乗せ装置であって、子供が着席可能な座部を備えた子供乗せ装置本体と、前記座部に着席した子供の足が載置される足載せ部と、前記座部に子供が着席した時、子供のふくらはぎが当接する位置に取付けられたクッションと、を有し、前記座部の前端部の中央には子供の股が位置するズレ落防止部材が設けられており、前記ズレ落防止部材の両側に前記クッションが設けられていることを特徴としている。
【００１１】
請求項３に記載の発明では、子供乗せ装置本体の座部と、子供の足が載置される足載せ部が設けられ、子供が座部に着席したときに、子供の足が足載せ部に載置されると共に、子供の足のふくらはぎ付近がクッションに当接する。このため、子供の足のふくらはぎ付近を保護することができ、ふくらはぎ付近が子供乗せ装置本体等の構造体に直接接触することを抑制できる。また、子供が着席時に足を動かすことができ、子供が楽な着席姿勢を保持することができる。
また、座部の前端部の中央には子供の股が位置するズレ落防止部材が設けられており、子供が座部からずり落ちるのを防止することができる。また、ズレ落防止部材の両側にクッションが設けられており、子供の足のふくらはぎ付近を保護することができる。
【００１２】
請求項４に記載の発明は、二輪車本体に取り付けられた子供乗せ装置であって、子供が着席可能な座部を備えた子供乗せ装置本体と、前記座部に着席した子供の足が載置される足載せ部と、前記座部に子供が着席した時、子供のふくらはぎが当接する位置に取付けられたクッションと、を有すると共に、前記足載せ部は、前記座部の前方から下方側又は斜め下方側に延びたベース部材に設けられ、前記足載せ部が前記ベース部材に沿ってスライド可能に設けられ、前記足載せ部を前記ベース部材の任意のスライド高さで固定する高さ調整手段を有し、前記足載せ部の前記ベース部材の上部の固定位置で、前記クッションは前記足載せ部の足載せ面と干渉しないことを特徴としている。
【００１３】
請求項４に記載の発明では、子供乗せ装置本体の座部と、子供の足が載置される足載せ部が設けられ、子供が座部に着席したときに、子供の足が足載せ部に載置されると共に、子供の足のふくらはぎ付近がクッションに当接する。このため、子供の足のふくらはぎ付近を保護することができ、ふくらはぎ付近が子供乗せ装置本体等の構造体に直接接触することを抑制できる。また、子供が着席時に足を動かすことができ、子供が楽な着席姿勢を保持することができる。
また、子供乗せ装置本体の座部の前方から下方側又は斜め下方側にベース部材が延びており、ベース部材に子供の足が載置される足載せ部が設けられている。
また、足載せ部がベース部材に沿って上下方向にスライド可能に設けられており、高さ調整手段によって、足載せ部がベース部材の任意のスライド高さで固定される。これにより、子供の身長や足の位置に応じて、足載せ部を適切な高さに調整することができる。このため、子供が座部に着席して足載せ部に足を載置したときに、子供の足のふくらはぎ付近をより確実にクッションに当接させることができる。
さらに、足載せ部のベース部材の上部の固定位置で、クッションが足載せ部の足載せ面と干渉しないので、足載せ部をベース部材の上部にスライドさせたときに、クッションを取り外す必要がない。また、足載せ部のスライド時の作業性がよい。
【００１４】
請求項５に記載の発明は、二輪車本体に取り付けられた子供乗せ装置であって、子供が着席可能な座部を備えた子供乗せ装置本体と、前記座部に着席した子供の足が載置される足載せ部と、前記座部に子供が着席した時、子供のふくらはぎが当接する位置に取付けられたクッションと、を有すると共に、前記足載せ部は、前記座部の前方から下方側又は斜め下方側に延びたベース部材に設けられ、前記足載せ部が前記ベース部材に沿ってスライド可能に設けられ、前記足載せ部を前記ベース部材の任意のスライド高さで固定する高さ調整手段を有し、前記高さ調整手段は、前記足載せ部の側方に設けられた操作部と、前記ベース部材に設けられた複数の被係合部と、前記足載せ部の両側に形成された取付部に回転可能に設けられ、前記操作部と連結される軸部と、前記軸部に設けられ、前記被係合部と係合される係合部と、前記係合部を前記被係合部に係合する方向へ付勢する付勢部材と、前記操作部に設けられ、前記軸部の回転をロックするロック手段と、を有することを特徴としている。
【００１５】
請求項５に記載の発明では、子供乗せ装置本体の座部と、子供の足が載置される足載せ部が設けられ、子供が座部に着席したときに、子供の足が足載せ部に載置されると共に、子供の足のふくらはぎ付近がクッションに当接する。このため、子供の足のふくらはぎ付近を保護することができ、ふくらはぎ付近が子供乗せ装置本体等の構造体に直接接触することを抑制できる。また、子供が着席時に足を動かすことができ、子供が楽な着席姿勢を保持することができる。
また、子供乗せ装置本体の座部の前方から下方側又は斜め下方側にベース部材が延びており、ベース部材に子供の足が載置される足載せ部が設けられている。
また、足載せ部がベース部材に沿って上下方向にスライド可能に設けられており、高さ調整手段によって、足載せ部がベース部材の任意のスライド高さで固定される。これにより、子供の身長や足の位置に応じて、足載せ部を適切な高さに調整することができる。このため、子供が座部に着席して足載せ部に足を載置したときに、子供の足のふくらはぎ付近をより確実にクッションに当接させることができる。
さらに、高さ調整手段には、足載せ部の側方に操作部が設けられており、操作部の操作により足載せ部の高さを調整することができる。ベース部材に複数の被係合部が設けられており、足載せ部の両サイドに形成された取付部には、操作部と連結される軸部が回転可能に設けられている。軸部には係合部が設けられており、付勢部材によって、係合部が被係合部に係合する方向へ付勢されている。操作部には、軸部の回転をロックするロック手段が設けられており、係合部が被係合部に係合された状態で軸部の回転をロックすることで、足載せ部がベース部材の所定の位置で固定される。このため、操作部の操作により、足載せ部をベース部材の任意のスライド高さに調整することができる。また、足載せ部の側方に操作部を備えているので、足載せ部の高さを調整するときの操作性が良い。
【００１６】
請求項６に記載の発明は、請求項１から請求項３までのいずれか１項に記載の子供乗せ装置において、前記足載せ部は、前記座部の前方から下方側又は斜め下方側に延びたベース部材に設けられ、前記足載せ部が前記ベース部材に沿ってスライド可能に設けられ、前記足載せ部を前記ベース部材の任意のスライド高さで固定する高さ調整手段を有することを特徴としている。
【００１７】
請求項６に記載の発明では、子供乗せ装置本体の座部の前方から下方側又は斜め下方側にベース部材が延びており、ベース部材に子供の足が載置される足載せ部が設けられている。
また、足載せ部がベース部材に沿って上下方向にスライド可能に設けられており、高さ調整手段によって、足載せ部がベース部材の任意のスライド高さで固定される。これにより、子供の身長や足の位置に応じて、足載せ部を適切な高さに調整することができる。このため、子供が座部に着席して足載せ部に足を載置したときに、子供の足のふくらはぎ付近をより確実にクッションに当接させることができる。
【００１８】
請求項７に記載の発明は、請求項４から請求項６までのいずれか１項に記載の子供乗せ装置において、前記クッションは、前記ベース部材の少なくとも上部に取付けられていることを特徴としている。
【００１９】
請求項７に記載の発明では、ベース部材の少なくとも上部にはクッションが取付けられており、クッションをベース部材の幅方向の広範囲に取付けることができる。これにより、子供が座部に着席したときに、子供の足が足載せ部に載置されると共に、子供の足のふくらはぎ付近がクッションに当接する。このため、子供の足のふくらはぎ付近を保護することができ、ふくらはぎ付近がベース部材に直接接触することを抑制できる。また、子供が着席時に足を動かすことができ、子供が楽な着席姿勢を保持することができる。
【００２２】
請求項８に記載の発明に係る二輪車は、二輪車本体に請求項１から請求項７までのいずれか１項に記載の子供乗せ装置が取り付けられていることを特徴としている。
【００２３】
請求項８に記載の発明に係る二輪車では、二輪車本体に請求項１から請求項７までのいずれか１項に記載の子供乗せ装置が取り付けられているので、子供が座部に着席したときに、子供の足が足載せ部に載置されると共に、子供の足のふくらはぎ付近がクッションに当接する。このため、子供の足のふくらはぎ付近を保護することができる。また、子供が着席時に足を動かすことができ、子供が楽な着席姿勢を保持することができる。
【発明の効果】
【００２４】
請求項１の発明に係る子供乗せ装置では、子供の足のふくらはぎ付近を保護することができると共に、子供が楽な着席姿勢を保つことができる。また、足載せ部を上下方向にスライドさせることきに、クッションが邪魔になることがない。
【００２５】
請求項２の発明に係る子供乗せ装置では、子供の足のふくらはぎ付近を保護することができると共に、子供が楽な着席姿勢を保つことができる。また、座部用クッション及びクッションにより子供の尻部から足の後ろ側のふくらはぎ付近まで保護することができ、子供がより一層楽な着席姿勢を保つことができる。
【００２６】
請求項３の発明に係る子供乗せ装置では、子供の足のふくらはぎ付近を保護することができると共に、子供が楽な着席姿勢を保つことができる。また、子供が座部からずり落ちるのを防止することができる。
【００２７】
請求項４の発明に係る子供乗せ装置では、子供の足のふくらはぎ付近を保護することができると共に、子供が楽な着席姿勢を保つことができる。また、子供の足のふくらはぎ付近をより確実にクッションに当接させることができる。さらに、足載せ部を上部にスライドさせることきに、クッションを取り外す必要がなく、作業性がよい。
【００２８】
請求項５の発明に係る子供乗せ装置では、子供の足のふくらはぎ付近を保護することができると共に、子供が楽な着席姿勢を保つことができる。また、子供の足のふくらはぎ付近をより確実にクッションに当接させることができる。さらに、構成を複雑化することなく、足載せ部をベース部材の任意のスライド高さに調整することができる。
【００２９】
請求項６の発明に係る子供乗せ装置では、子供の足のふくらはぎ付近をより確実にクッションに当接させることができる。
【００３０】
請求項７の発明に係る子供乗せ装置では、子供の足のふくらはぎ付近を保護することができると共に、子供が楽な着席姿勢を保つことができる。
【００３２】
請求項８の発明に係る二輪車では、子供の足のふくらはぎ付近を保護することができると共に、子供が楽な着席姿勢を保つことができる。
【発明を実施するための最良の形態】
【００３３】
以下、本発明の実施の形態を図面に基づいて説明する。
【００３４】
図１には、本発明の一実施形態であるバスケットを兼用した子供乗せバスケット１０が取り付けられた二輪車１が示されている。
【００３５】
二輪車１には、前輪３側にヘッドパイプ２が配設されている。ヘッドパイプ２の上部には、子供乗せバスケット１０に設けられた子供乗せバスケット本体１２の下部が取付金具４によって固定支持されている。ヘッドパイプ２の上部には、ハンドルバー６が子供乗せバスケット本体１２の両側に略逆Ｌ字状に延びるように配設されている。
【００３６】
図２〜図５に示されるように、子供乗せバスケット本体１２は、子供が着席可能な座部１２Ａと、この座部１２Ａの後方部に斜め後方側へ傾斜するように立設された背凭れ部１２Ｂと、この背凭れ部１２Ｂから座部１２Ａの両サイドを囲むように連続して立設された側面部１２Ｃと、両サイドの側面部１２Ｃの前方側に掛け渡された前面部１２Ｅと、を備えている。座部１２Ａと背凭れ部１２Ｂと側面部１２Ｃと前面部１２Ｅは連続した湾曲面を形成するように一体的に設けられている。前面部１２Ｅと座部１２Ａとの間には、座部１２Ａに子供が着席したときに脚部が挿通される開口部１２Ｆが設けられている（図３を参照）。
【００３７】
座部１２Ａの前方側には、開口部１２Ｆと対向する位置に、子供の足が置載される足載せ部１４が設けられている。座部１２Ａの前方下部には斜め下方側に傾斜するようにベース部材１６が配設されており、ベース部材１６に沿って足載せ部１４がスライド可能となっている。この足載せ部１４等の構成については後に詳述する。座部１２Ａの前端部と前面部１２Ｅの下部との間には、開口部１２Ｆに跨るようにズレ落ち防止部材としての連結部材４０が設けられている。連結部材４０により子供乗せバスケット本体１２が補強されると共に、子供が座部１２Ａに着席したときに子供の股が連結部材４０の上方に位置し、子供の脚部が連結部材４０の両側に挿通される。
【００３８】
子供乗せバスケット本体１２の背凭れ部１２Ｂの内側面（前方側の面）の上方部には、子供乗せバスケット本体１２の内側面と一部が重なり合うようにヘッドガード２０が配設されている。このヘッドガード２０は、子供乗せバスケット本体１２に着席した子供の頭部を保護するものであり、上下方向にスライド可能となっている。また、側面部１２Ｃの前方側の上部には、前面部１２Ｅの後方側に、子供が握ることができ、また子供の前方側をガードする握り部材２２が掛け渡されている（図４等を参照）。握り部材２２を設けることで、子供が着座したときに握り部材２２を握って自身の身体を支えることができ、子供に安心感を与えることができる。なお、図示を省略するが、握り部材２２は両端部の軸部を支点として前後方向に回動可能に構成されている。
【００３９】
子供乗せバスケット本体１２は、背凭れ部１２Ｂの高さよりも側面部１２Ｃの中間部後方側の高さが最も高く、側面部１２Ｃの前方側の高さが徐々に低くなるように形成されている。また、側面部１２Ｃよりも前面部１２Ｅの高さが低くなるように形成されており、前面部１２Ｅの上部には、凹状の湾曲面を有する凹状部１３が形成されている。前面部１２Ｅの上部における凹状部１３の縁部には、剛性を有する透過性の樹脂で形成されたカウリング２４が取り付けられている。カウリング２４は、前面部１２Ｅの上方側に突出するように設けられている。
【００４０】
図５に示されるように、足載せ部１４は、平面視にて断面が略Ｕ字状に形成されており、足載せ面となる底面部１４Ａと、両サイドの側壁部１４Ｂと、ベース部材１６の前面部に沿ってスライド可能な後面部１４Ｃと、を備えている。足載せ部１４の後面部１４Ｃの背面には、幅方向両側に後方側へ突出する１対の取付部１４Ｄが設けられている。取付部１４Ｄには、ベース部材１６の背面側で幅方向内側へ突出する突片１４Ｅが設けられており、後面部１４Ｃと取付部１４Ｄと突片１４Ｅとでベース部材１６を両サイドから挟み込むことで、足載せ部１４がベース部材１６に沿って上下方向にスライド可能となっている。
【００４１】
図６〜図９に示されるように、子供乗せバスケット１０には、足載せ部１４をベース部材１６の任意のスライド高さで固定する高さ調整装置５０が設けられている。高さ調整装置５０は、足載せ部１４の取付部１４Ｄの両側に足載せ部１４の高さを調整するときに操作される操作部５２を備えている。操作部５２には、ベース部材１６の裏面側（背面側）に幅方向に沿って掛け渡された軸部５４が連結されている。軸部５４は、取付部１４Ｄに形成された円形の孔に挿通され、取付部１４Ｄに対して回転可能となっている。
【００４２】
ベース部材１６の裏面（背面）には、上下方向及び幅方向に沿って複数の凹部５６が設けられている。凹部５６は、格子状に配置された横板材５６Ａと縦板材５６Ｂとで囲まれている。横板材５６Ａは、斜め方向に配置されたベース部材１６に対して略水平方向に形成されており、上下方向に複数配置されることで被係合部として機能する（図８を参照）。縦板材５６Ｂは、ベース部材１６の裏面に沿って平面視にて横板材５６Ａと直交する方向に複数配置されている（図６を参照）。横板材５６Ａと縦板材５６Ｂを格子状に配置することによりベース部材１６の剛性を高めることができる。
【００４３】
軸部５４の中央部には、軸部５４の半径方向に突出する係合部としての長方ブロック５８が固定されている。長方ブロック５８は、横板材５６Ａに面接することによって係合される平面部５８Ａと、平面部５８Ａの終端から円弧状を描くように形成された円弧部５８Ｂと、を備えている。円弧部５８Ｂは、平面部５８Ａが横板材５６Ａと面接したときに、この横板材５６Ａとその上部の横板材５６Ａとの間に挿入される大きさ及び形状に設定されている。円弧部５８Ｂには、軸部５４の回転により長方ブロック５８が回動したときにベース部材１６の縦板材５６Ｂと干渉しないように、周方向に沿って溝５８Ｄが形成されている。
【００４４】
軸部５４には、長方ブロック５８と取付部１４Ｄとの間に、長方ブロック５８の平面部５８Ａが横板材５６Ａと面接する方向へ長方ブロック５８を回動させる付勢部材としてのコイルスプリング６０が装着されている。また、長方ブロック５８の円弧部５８Ｂと反対側には、回転中心部から延出されたストッパ５８Ｃが設けられている。このストッパ５８Ｃは、長方ブロック５８と横板材５６Ａとの係合が外れたときに、横板材５６Ａの頂部に当たって長方ブロック５８の回動量を制限するように構成されている。
【００４５】
図９に示されるように、操作部５２は、軸部５４に固定される円柱部６２と、円柱部６２の周囲に外挿されるロック手段としての筒状のダイヤル部６４と、を備えている。円柱部６２には、周面に軸方向に沿って複数の溝部６２Ａが形成されている。溝部６２Ａは、円柱部６２の周面から円弧状に凹んでおり、周面にほぼ等間隔に４本形成されている。また、ダイヤル部６４は、内周面に軸方向に沿って溝部６２Ａと係合される４本の凸部６４Ａが形成されている。凸部６４Ａは、内周面から円弧状に突出しており、溝部６２Ａと合致する位置に形成されている。ダイヤル部６４は、円柱部６２の幅方向外側から凸部６４Ａを溝部６２Ａに係合させて軸方向にスライドさせることで、円柱部６２の周面に装着することができる。また、ダイヤル部６４の軸方向の内側端面には、軸方向に突出する突出部６４Ｂが設けられている。本実施形態では、突出部６４Ｂはダイヤル部６４の対向する位置に２個設けられている。突出部６４Ｂは、略三日月状に形成されており、内側に凸部６４Ａが延長して設けられている。突出部６４Ｂの外側は円弧状に形成されており、この円弧状の面は、ダイヤル部６４の外周面よりも小さな半径に設定されている。
【００４６】
取付部１４Ｄには、突出部６４Ｂが挿入される円形状の孔６６が形成されている。図１０に示されるように、ダイヤル部６４を円柱部６２の軸方向内側にスライドさせて、ダイヤル部６４の突出部６４Ｂを取付部１４Ｄの孔６６に挿入することで、軸部５４の回転がロックされるようになっている。
【００４７】
図１５及び図１６に示されるように、座部１２Ａの上面には、座部用クッション７０が取付けられている。座部用クッション７０は、座部用クッション７０の底面部に固着されたボルト（図示省略）により座部１２Ａの上面部に締結固定されている。また、ベース部材１６の上部には、連結部材４０の両側に２つのクッション７２が取り付けられている。２つのクッション７２は、連結部材４０の両側でベース部材１６の幅方向の比較的広い範囲を覆うように設けられている。２つのクッション７２は、上端部の裏面側に設けられたシート状取付部（図示省略）が座部１２Ａの前端底面部に図示しないマジックテープ（登録商標）によって着脱可能に装着されている。座部用クッション７０と、クッション７２は、内部に発泡性ポリウレタンなどの弾性体が装填された衝撃吸収部材である。
【００４８】
図１７に示されるように、足載せ部１４のベース部材１６の上部の固定位置で、クッション７２が足載せ部１４の底面部１４Ａと干渉しないように設けられている。また、図１８に示されるように、足載せ部１４をベース部材１６の下部側にスライドさせたときには、クッション７２はベース部材１６の上部に覆った状態となっている。
【００４９】
また、図２〜図５に示されるように、ヘッドガード２０は、着席した子供の後頭部と対向する後方部２０Ａと、後方部２０Ａから子供の側頭部に沿って両サイド側に湾曲するように延びた翼部２０Ｂと、後方部２０Ａの中央部から下方側に延びた下方延設部２０Ｃと、を備えている。また、ヘッドガード２０の後方部２０Ａには、ヘルメットの逃げ部としての凹部７８が設けられている。図１５に示されるように、ヘッドガード２０の内側には、ヘッドガード２０の上部の中央部に装着されるクッション８０Ａと、両サイドの翼部２０Ｂに装着されるクッション８０Ｂと、凹部７８の下部の後方部２０Ａに装着されるクッション８０Ｃとが設けられている。これらのクッション８０Ａ、８０Ｂ、８０Ｃは、ヘッドガード２０の内側面に図示しないマジックテープ（登録商標）によって着脱可能に装着されている。
【００５０】
また、図２〜図５に示されるように、子供乗せバスケット１０には、ヘッドガード２０を子供乗せバスケット本体１２の内側面に沿って上下方向にスライドさせて所定の位置で固定する高さ調整装置３０が設けられている。高さ調整装置３０は、子供乗せバスケット本体１２の背凭れ部１２Ｂの中央部に上下方向に沿って形成された凹状のレール部１２Ｄを備えており、またヘッドガード２０の背面側に、子供乗せバスケット本体１２のレール部１２Ｄに挿入される凸状の摺動部２０Ｄを備えている。そして、レール部１２Ｄに沿って摺動部２０Ｄが移動することで、ヘッドガード２０が子供乗せバスケット本体１２に対して上下方向にスライド可能となっている。また、高さ調整装置３０は、子供乗せバスケット本体１２の背面側に回転可能に設けられた調整ノブ３６を備えており、調整ノブ３６をロック位置に回動させることで、ヘッドガード２０が子供乗せバスケット本体１２に固定され、調整ノブ３６をロック解除位置に回動させることで、ヘッドガード２０を子供乗せバスケット本体１２に対してスライドさせることができる。
【００５１】
これによって、子供の成長や異なる身長の子供の体格に合わせて、ヘッドガード２０を子供乗せバスケット本体１２に対して上下方向にスライドさせて、適切な高さに調整することができ、子供の頭部を適切に保護することができる。
【００５２】
子供乗せバスケット１０は、子供乗せバスケット本体１２に子供が着席することができる椅子としての機能と、子供乗せバスケット本体１２に荷物を入れることができる荷物籠としての機能とを兼用した構成となっている。
【００５３】
次に、上記のような構成の子供乗せバスケット１０の作用について説明する。
【００５４】
図１０に示されるように、ダイヤル部６４は、凸部６４Ａを円柱部６２の溝部６２Ａに係合した状態で円柱部６２に外挿されており、ダイヤル部６４の突出部６４Ｂが取付部１４Ｄの孔６６に挿入されている。これにより、軸部５４の回転がロックされている。この状態で、長方ブロック５８の平面部５８Ａが、ベース部材１６の凹部５６の横板材５６Ａに面接して係合されることにより、足載せ部１４がベース部材１６の所定の高さで固定されている。
【００５５】
図１１に示されるように、足載せ部１４の高さを調整するときは、操作部５２のダイヤル部６４を円柱部６２に対して軸方向外側にスライドさせる。これにより、ダイヤル部６４の突出部６４Ｂが取付部１４Ｄの孔６６から外れて軸部５４のロックが解除され、軸部５４が回転可能となる。このとき、軸部５４に装着されたコイルスプリング６０によって、長方ブロック５８の平面部５８Ａがベース部材１６の横板材５６Ａに係合する方向へ長方ブロック５８が回動しており、平面部５８Ａが横板材５６Ａに係合した状態となっている。
【００５６】
図１２〜図１４に示されるように、足載せ部１４をベース部材１６に沿って下方側へスライドさせると、軸部５４がコイルスプリング６０の力に抗して図中左回りに回転し、長方ブロック５８の平面部５８Ａとベース部材１６の横板材５６Ａとの係合が解除される。そして、足載せ部１４の下方側へのスライドにより、長方ブロック５８の平面部５８Ａがベース部材１６の下方側の凹部５６に移動すると、コイルスプリング６０の力によって、長方ブロック５８の平面部５８Ａが凹部５６の横板材５６Ａに係合する方向に軸部５４が回転し、平面部５８Ａが横板材５６Ａに係合する。この動作を繰り返すことにより、長方ブロック５８の平面部５８Ａが下方側の凹部５６に順次移動する。これにより、足載せ部１４をベース部材１６に沿って下方側の任意の位置へスライドさせることができる。
【００５７】
また、長方ブロック５８の平面部５８Ａと横板材５６Ａとの係合が解除されたとき、ストッパ５８Ｃが横板材５６Ａの頂部に当たることで、長方ブロック５８の回動量が制限される。このため、足載せ部１４のベース部材１６に沿ってスライドさせるときに、コイルスプリング６０の力又は操作部５２の操作により長方ブロック５８が必要な回動量以上に回動することを防止できる。
【００５８】
そして、足載せ部１４が適切な高さとなったところで、操作部５２のダイヤル部６４を円柱部６２に対して軸方向内側にスライドさせ、ダイヤル部６４の突出部６４Ｂを取付部１４Ｄの孔６６に挿入する。これにより、軸部５４の回転がロックされる。このとき、コイルスプリング６０の力によって、長方ブロック５８の平面部５８Ａが凹部５６の横板材５６Ａに係合されることで、足載せ部１４がベース部材１６の任意の高さで固定される。
【００５９】
また、足載せ部１４をベース部材１６の上方側へスライドさせるときは、操作部５２のダイヤル部６４を軸方向外側へスライドさせて、軸部５４の回転のロックを解除した状態で、操作部５２のダイヤル部６４をコイルスプリング６０の付勢力に抗して回転させる。これにより、長方ブロック５８の平面部５８Ａとベース部材１６の横板材５６Ａとの係合が解除される。この状態で、操作部５２のダイヤル部６４を保持したまま、足載せ部１４をベース部材１６に沿って上方側へ移動させる。そして、足載せ部１４の高さが適切な高さとなったところで、操作部５２のダイヤル部６４を放すとコイルスプリング６０の付勢力で長方ブロック５８が回動し、ベース部材１６の横板材５６Ａと係合する。または、ダイヤル部６４をコイルスプリング６０の付勢力と同じ方向に回転させれば、確実に長方ブロック５８とベース部材１６の横板材５６Ａを係合させることができる。さらに、操作部５２のダイヤル部６４を円柱部６２に対して軸方向内側にスライドさせ、ダイヤル部６４の突出部６４Ｂを取付部１４Ｄの孔６６に挿入する。これにより、軸部５４の回転がロックされる。このとき、長方ブロック５８の平面部５８Ａがベース部材１６の横板材５６Ａに係合されることで、足載せ部１４がベース部材１６の任意の高さで固定される。また、上方側へスライドさせる方法にてスライド方向を下方側とすれば、前述とは別の方法による下方側へのスライド方法としても成り立つ。
【００６０】
図３及び図５に示されるように、子供乗せバスケット本体１２に子供が着席するときは、操作部５２の操作によって足載せ部１４をベース部材１６に沿って下方側へスライドさせて任意の位置で固定することにより、子供が子供乗せバスケット本体１２の座部１２Ａに着席し、子供乗せバスケット本体１２の開口部１２Ｆに脚部を挿通させて足載せ部１４に足を載置することができる。このため、子供の身長や足の位置に応じて、足載せ部１４を適切な高さに調整することができる。また、足載せ部１４の側方の取付部１４Ｄに操作部５２が設けられているので、足載せ部１４の高さを調整するときに足載せ部１４の側方から操作部５２を操作しやすく、操作性が良い。
【００６１】
また、図２及び図４に示されるように、子供乗せバスケット本体１２を荷物籠として使用するときは、操作部５２の操作によって足載せ部１４をベース部材１６の最上部へスライドさせて固定することにより、開口部１２Ｆが塞がり、子供乗せバスケット本体１２内に荷物を入れることができる。
【００６２】
このような子供乗せバスケット１０では、子供の身長や足の位置に合わせて足載せ部１４の高さを調整することで、子供が座部１２Ａに着席したときに、子供の足を足載せ部１４に載置することができる。その際、ベース部材１６の上部にクッション７２が取付けられており（図１８参照）、子供の足のふくらはぎ付近がクッション７２に当接する。このため、子供の足のふくらはぎ付近を保護することができる。また、子供が着席時に足を動かすことができ、子供が楽な着席姿勢を保つことができる。
【００６３】
また、クッション７２の上端部が座部１２Ａの座部用クッション７０の前端部に取付けられているので、座部１２Ａの座部用クッション７０上に子供が着席したときに、座部用クッション７０及びクッション７２により子供の尻部から足の後ろ側のふくらはぎ付近まで保護することができる。このため、子供がより一層楽な着席姿勢を保つことができる。また、クッション７２の上端部が座部１２Ａの座部用クッション７０の前端部に取付けられているので、ベース部材１６に沿って足載せ部１４を上下方向にスライドさせるときに、クッション７２が邪魔になることがなく、スライド時の作業性がよい。
【００６４】
さらに、クッション７２が座部用クッション７０の前端部に着脱可能に取付けられているので、クッション７２の取付け及び取り外しが容易である。
【００６５】
図１７に示されるように、足載せ部１４のベース部材１６の上部の固定位置で、クッション７２が足載せ部１４の底面部１４Ａと干渉しないので、足載せ部１４をベース部材１６の上部にスライドさせたときに、クッション７２を取り外す必要がない。
【００６６】
また、連結部材４０により子供が座部１２Ａからズレ落ちるのを防止することができると共に、連結部材４０の両側に取付けられたクッション７２により子供の足のふくらはぎ付近を保護することができる。
【００６７】
なお、上記実施形態では、ベース部材１６は、座部１２Ａの前方下部から斜め下方側に延びているが、これに限定されず、ベース部材が下方側に延びる構成であってもよい。
【００６８】
なお、上記実施形態では、クッション７２の上端部が座部１２Ａの座部用クッション７０の前端部に取付けられているが、クッション７２の取付構造をこれに限定されず、他の構成でもよい。また、クッション７２の大きさ、形状もこれに限定されず、他の構成でもよい。
【００６９】
なお、上記実施形態では、クッション７２は、連結部材４０の両側に取付けられているが、これに限定されず、他の構成でもよい。
【００７０】
なお、上記実施形態では、ベース部材１６に被係合部としての複数の凹部５６が設けられているが、凹部５６の形状や個数はこれに限定されず、他の構成でもよい。また、被係合部に係合する長方ブロック５８の形状もこれに限定されず、他の構成でもよい。
【００７１】
また、操作部５２は、ダイヤル部６４を備え、ダイヤル部６４の突出部６４Ｂを取付部１４Ｄの孔６６に挿入して軸部５４の回転をロックしたが、ロック手段や操作部５２の形状はこれに限定されず、他の構成でもよい。
【図面の簡単な説明】
【００７２】
【図１】本発明の一実施形態である子供乗せバスケットが取り付けられた二輪車を示す側面図である。
【図２】本発明の一実施形態である子供乗せバスケットの足載せ部をベース部材の最上部へスライドさせた状態を示す側面図である。
【図３】子供乗せバスケットの足載せ部をベース部材の最下部へスライドさせた状態を示す側面図である。
【図４】子供乗せバスケットの足載せ部をベース部材の最上部へスライドさせた状態を子供乗せバスケットの前方側から見た斜視図である。
【図５】子供乗せバスケットの足載せ部をベース部材の最下部へスライドさせた状態を子供乗せバスケットの前方側から見た斜視図である。
【図６】足載せ部をベース部材の任意の高さで固定する高さ調整装置を示す斜視図である。
【図７】足載せ部をベース部材の任意の高さで固定する高さ調整装置を示す平面図である。
【図８】高さ調整装置に設けられた係合部をベース部材の凹部に係合させ、足載せ部をベース部材の任意の高さで固定した状態を示す側面図である。
【図９】高さ調整装置に設けられた操作部を示す分解斜視図である。
【図１０】操作部に連結された軸部の回転をロックした状態を示す断面図である。
【図１１】操作部のダイヤル部を操作して、軸部の回転のロックを解除した状態を示す斜視図である。
【図１２】足載せ部をベース部材の任意の高さにスライドさせる過程を示す側面図である。
【図１３】足載せ部をベース部材の任意の高さにスライドさせる過程を示す側面図である。
【図１４】足載せ部をベース部材の任意の高さにスライドさせる過程を示す側面図である。
【図１５】ベース部材の上部に取り付けられたクッションと、座部に取り付けられた座部用クッションを示す斜視図である。
【図１６】ベース部材の上部に取り付けられたクッションと、座部に取り付けられた座部用クッションを示す拡大斜視図である。
【図１７】足載せ部をベース部材の最上部にスライドさせたときのクッションを示す一部を裁断した側面図である。
【図１８】足載せ部をベース部材の最下部にスライドさせたときのクッションを示す一部を裁断した側面図である。
【符号の説明】
【００７３】
１     二輪車
１０   子供乗せバスケット（子供乗せ装置）
１２   子供乗せバスケット本体（子供乗せ装置本体）
１２Ａ 座部
１２Ｂ 背凭れ部
１２Ｃ 側面部
１２Ｅ 前面部
１２Ｆ 開口部
１４   足載せ部
１４Ａ 底面部（足載せ面）
１４Ｄ 取付部
１６   ベース部材
４０   連結部材（ズレ落ち防止部材）
５０   高さ調整装置
５２   操作部
５４   軸部
５６   凹部（被係合部）
５６Ａ 横板材
５８Ｃ ストッパ
５８   長方ブロック
５８Ｂ 係合部
６０   コイルスプリング（付勢部材）
６０   軸部
６２   円柱部
６４   ダイヤル部
６４Ｂ 突出部（ロック手段）
６６   孔（ロック手段）
７０   座部用クッション
７２   クッション
【図１】
0005101225.tif 000002
【図２】
0005101225.tif 000003
【図３】
0005101225.tif 000004
【図４】
0005101225.tif 000005
【図５】
0005101225.tif 000006
【図６】
0005101225.tif 000007
【図７】
0005101225.tif 000008
【図８】
0005101225.tif 000009
【図９】
0005101225.tif 000010
【図１０】
0005101225.tif 000011
【図１１】
0005101225.tif 000012
【図１２】
0005101225.tif 000013
【図１３】
0005101225.tif 000014
【図１４】
0005101225.tif 000015
【図１５】
0005101225.tif 000016
【図１６】
0005101225.tif 000017
【図１７】
0005101225.tif 000018
【図１８】
0005101225.tif 000019